(57)【特許請求の範囲】
【請求項１】
Ｌ字状の折曲部を挟んでコネクタ側接続部及び基板側接続部を有する導電端子を前記コネクタ側接続部と前記折曲部との間にて保持する端子保持孔と、前記基板側接続部が露出可能に開設された回路基板接続用の開口部と、を有するハウジングと、
前記端子保持孔に前記コネクタ側接続部が挿入された前記導電端子の基板側接続部が導電端子挿通用の貫通孔から突出した状態で前記導電端子の基板側接続部に向かって前記ハウジングの下面側から前記開口部に装着され前記ハウジングに係止されたアライメント部材と、
前記導電端子の基板側接続部が前記折曲部側へ変位するのを阻止する係合手段である凹凸係合機構と、
前記ハウジングの開口部に装着された前記アライメント部材の離脱を防止するロック機構と、を備え、
前記凹凸係合機構は、
前記導電端子に設けられた凸状ショルダ部と、前記凸状ショルダ部を嵌入させるため前記アライメント部材の貫通孔内に設けられた凹状保持部と、で構成され、且つ、
前記凸状ショルダ部を前記凹状保持部に向かって誘導するガイド面が前記貫通孔の内周面と前記凹状保持部との間に存在し、
さらに、前記ロック機構は、
前記ハウジングの左右側面から背面側に突出した外側壁の前後方向に離れた複数の位置に、前記開口部内に向かって突出する前方ロック部、中間ロック部及び後方ロック部を備え、前記中間ロック部及び前記後方ロック部の下面にはそれぞれ凹溝を備えるとともに、
前記外側壁の前記前方ロック部、前記中間ロック部及び前記後方ロック部と対向する位置にある前記アライメント部材の側面部に、前記前方ロック部及び前記中間ロック部の上面にそれぞれ当接可能な複数の上方ロック部と、前記中間ロック部及び後方ロック部の凹溝にそれぞれ嵌入可能な複数の半円柱状ロック部と、を備え、
前記アライメント部材が前記ハウジングに係止された状態において、
前記アライメント部材の複数の前記半円柱状ロック部がそれぞれ前記中間ロック部及び前記後方ロック部の前面に当接した位置にあるとともに、
前記アライメント部材の複数の前記上方ロック部がそれぞれ前記ハウジングの前記前方ロック部及び前記中間ロック部の上面に当接した位置にある、ことを特徴とする電気コネクタ。
【請求項２】
前記導電端子の基板側接続部がプレスフィット機構を有する請求項１記載の電気コネクタ。
【発明の詳細な説明】
【技術分野】
【０００１】
本発明は、回路基板に組み付けて使用される電気コネクタに関する。
【背景技術】
【０００２】
本発明に関連する従来技術として、例えば、特許文献１記載の「基板用コネクタ」がある。特許文献１記載の基板用コネクタは、ハウジングの側壁が拡開するのを防止するための規制部材であるアライメントプレートを備えたものである。
【０００３】
具体的には、特許文献１中の図１，図２に記載されているように、ハウジング２０は、端子金具２１を保持可能な端子保持部２２と、端子保持部２２から後方へ延出形成される一対の側壁２４と、両側壁２４の外側面から外方へ張り出す基板固定部２５とから構成される。基板固定部２５には、基板１０のねじ挿通孔１２を通したタッピングねじを締め付け可能なねじ締付孔２９が設けられ、ねじ締付孔２９にタッピングねじを螺着することでハウジング２０を基板１０に対して固定できる。
【０００４】
両側壁２４間に組み付けられるアライメントプレート４０の両側縁には、両側壁２４の内側面に設けられた被規制部３０に対して係止可能な規制部４３が設けられている。規制部４３が被規制部３０に係止することにより、タッピングねじを締め付けるのに伴って側壁２４が拡開変形するのを規制できる。
【先行技術文献】
【特許文献】
【０００５】
【特許文献１】特開２００５−１２３１２０号公報
【発明の概要】
【発明が解決しようとする課題】
【０００６】
特許文献１記載の基板用コネクタは、回路基板側から導電端子に作用する外力（反力）を受ける手段を有していないので、当該基板用コネクタを回路基板への組み付けるとき、回路基板側から導電端子の基板側接続部に外力（反力）が作用すると、導電端子が逃げ、基板側接続部が回路基板の正常位置に圧入されないことがある。
【０００７】
そこで、本発明が解決しようとする課題は、アライメント部材を備えた電気コネクタを回路基板へ組み付ける場合に導電端子に当該回路基板から外力（反力）が作用しても導電端子の基板側接続部が逃げない電気コネクタを提供することにある。
【課題を解決するための手段】
【０００８】
本発明の電気コネクタは、Ｌ字状の折曲部を挟んでコネクタ側接続部及び基板側接続部を有する導電端子を前記コネクタ側接続部と前記折曲部との間にて保持する端子保持孔と、前記基板側接続部が露出可能に開設された回路基板接続用の開口部と、を有するハウジングと、
前記端子保持孔に前記コネクタ側接続部が挿入された前記導電端子の基板側接続部が導電端子挿通用の貫通孔から突出した状態で前記導電端子の基板側接続部に向かって前記ハウジングの下面側から前記開口部に装着され前記ハウジングに係止されたアライメント部材と、
前記導電端子の基板側接続部が前記折曲部側へ変位するのを阻止する係合手段である凹凸係合機構と、
前記ハウジングの開口部に装着された前記アライメント部材の離脱を防止するロック機構と、を備え、
前記凹凸係合機構は、
前記導電端子に設けられた凸状ショルダ部と、前記凸状ショルダ部を嵌入させるため前記アライメント部材の貫通孔内に設けられた凹状保持部と、で構成され、且つ、
前記凸状ショルダ部を前記凹状保持部に向かって誘導するガイド面が前記貫通孔の内周面と前記凹状保持部との間に存在し、
さらに、前記ロック機構は、
前記ハウジングの左右側面から背面側に突出した外側壁の前後方向に離れた複数の位置に、前記開口部内に向かって突出する前方ロック部、中間ロック部及び後方ロック部を備え、前記中間ロック部及び前記後方ロック部の下面にはそれぞれ凹溝を備えるとともに、
前記外側壁の前記前方ロック部、前記中間ロック部及び前記後方ロック部と対向する位置にある前記アライメント部材の側面部に、前記前方ロック部及び前記中間ロック部の上面にそれぞれ当接可能な複数の上方ロック部と、前記中間ロック部及び後方ロック部の凹溝にそれぞれ嵌入可能な複数の半円柱状ロック部と、を備え、
前記アライメント部材が前記ハウジングに係止された状態において、
前記アライメント部材の複数の前記半円柱状ロック部がそれぞれ前記中間ロック部及び前記後方ロック部の前面に当接した位置にあるとともに、
前記アライメント部材の複数の前記上方ロック部がそれぞれ前記ハウジングの前記前方ロック部及び前記中間ロック部の上面に当接した位置にある、ことを特徴とする。
ここで、前記「前方」、「後方」については、前記ハウジングの端子保持孔に挿入された前記導電端子のコネクタ接続部側を「前方」とし、前記正面と１８０度反対側を「後方」とする。前記「上面」、「下面」については、前記導電端子の折曲部から見て基板側接続部側に向かう方向を「下」とし、これと１８０度反対側を「上」とする。前記「左右」とは前記前後方向及び前記上下方向と直交する方向とする。
【０００９】
このような構成を備えた電気コネクタにおいては、ハウジングの端子保持孔に保持された導電端子の基板側接続部は、ハウジングの開口部を閉塞するように装着されたアライメの貫通孔から突出した状態にあり、導電端子と貫通孔との間には導電端子の基板側接続部が、折曲部側へ変位するのを阻止する係合手段が存在するので、電気コネクタを回路基板へ組み付ける場合に導電端子に当該回路基板から外力（反力）が作用しても導電端子の基板側接続部が折曲部側へ逃げることがない。
【００１０】
本発明の電気コネクタにおいては、前記係合手段として、前記開口部に装着された前記アライメント部材を前記導電端子の基板側接続部と交差する方向へスライドさせると前記導電端子に係合する凹凸係合機構を設けている。
【００１１】
このような構成とすれば、アライメント部材を一定方向へスライドさせるという比較的容易な作業により、導電端子の基板側接続部に対し、アライメント部材を確実に係合させることができる。
【００１２】
本発明の電気コネクタにおいて、前記凹凸係合機構は、前記導電端子に設けられた凸状ショルダ部と、前記凸状ショルダ部を嵌入させるため前記アライメント部材の貫通孔内に設けられた凹状保持部と、を備えている。
【００１３】
このような構成とすれば、凸状ショルダ部が凹状保持部に嵌入することにより、強固な係合状態を実現することができ、導電端子の基板側接続部が折曲部側へ逃げるのを防止する上で有効である。
【００１４】
また、本発明の電気コネクタにおいては、前記アライメント部材を前記基板側接続部と交差する方向へスライドさせたとき、前記凸状ショルダ部を前記凹状保持部に向かって誘導するガイド面を前記貫通孔の内周面と前記凹状保持部との間に設けている。
【００１５】
一方、前記導電端子の基板側接続部がプレスフィット機構を有するものとすることもできる。
【００１６】
さらに、本発明の電気コネクタにおいては、前記ハウジングの開口部に装着された前記アライメント部材の離脱を防止するロック機構を設けている。
【発明の効果】
【００１７】
本発明により、回路基板へ組み付ける場合に導電端子に当該回路基板から外力（反力）が作用しても導電端子の基板側接続部が折曲部側へ逃げない電気コネクタを提供することができる。
【図面の簡単な説明】
【００１８】
【図１】本発明の実施の形態である電気コネクタを示す正面、平面及び右側面側から見た斜視図である。
【図２】図１に示す電気コネクタの一部省略分解斜視図である。
【図３】図２中に示す導電端子の斜視図である。
【図４】図２中に示すハウジングの拡大斜視図である。
【図５】図４に示すハウジングの背面、平面及び右側面側から見た斜視図である。
【図６】図２中に示すアライメント部材の拡大斜視図である。
【図７】図６に示すアライメント部材の背面、平面及び右側面側から見た斜視図である。
【図８】図６に示すアライメント部材の平面図である。
【図９】図６に示すアライメント部材の底面図である。
【図１０】図６に示すアライメント部材の右側面図である。
【図１１】図８中のＡ−Ａ線における断面図である。
【図１２】図９中の矢線Ｂで示す部分の拡大図である。
【図１３】図１１中の矢線Ｃで示す部分の拡大図である。
【図１４】図１に示す電気コネクタの組立工程の一部を示す図である。
【図１５】図１４に示す組立工程の一部を示す拡大図である。
【図１６】図１４に示す組立工程における導電端子の凸状ショルダ部の動作を示す断面図である。
【図１７】図１６中の矢線Ｄ方向から見た図である。
【図１８】図１４に示す組立工程におけるアライメント部材とハウジングとのロック状態を示す断面図である。
【図１９】組立完了後の電気コネクタを示す正面、底面及び右側面側から見た斜視図である。
【図２０】図１９に示す電気コネクタに回路基板を組み付ける前の状態を示す斜視図である。
【図２１】図１９に示す電気コネクタに回路基板を組み付ける工程を示す断面図である。
【発明を実施するための形態】
【００１９】
以下、図面に基づいて、本発明の実施の形態について説明する。図１，図２に示すように、本実施形態の電気コネクタ１００は、Ｌ字形状をした複数の導電端子１０，１０ｘと、複数の導電端子１０，１０ｘを整列状態に保持するハウジング３０と、ハウジング３０に係止されたアライメント部材５０と、を備えている。なお、図１において、矢線Ｘを左右方向（横方向）、矢線Ｙを上下方向、矢線Ｚを前後方向（正面・背面方向）とする（以下、同様。）。
【００２０】
図３に示すように、導電端子１０は、Ｌ字状の折曲部１１を挟んでコネクタ側接続部１２と基板側接続部１３とを有している。コネクタ側接続部１２は略四角柱形状をなし、その対向する二面にはその長手方向に沿って複数の溝１２ａが形成されている。コネクタ側接続部１２と折曲部１１との間には、後述するハウジング３０の端子保持孔３１に挿着される係止部１４と、導電端子１０をハウジング３０に圧入する際の押圧位置を確保するための幅広部１６と、が形成されている。
【００２１】
導電端子１０において、折曲部１１と基板側接続部１３との間の、基板側接続部１３寄りの部分には、端子本体部１０ａから倒立Ｔ字状をなすように拡幅した凸状ショルダ部１５が設けられ、折曲部１１寄りの部分には、端子本体部１０ａより拡幅した略ホームベース形状をなす端子保持部１７が設けられている。
【００２２】
また、導電端子１０において、基板側接続部１３の先端部１３ａは断面Ｃ字状の略円筒形状をなし、先端部１３ａと凸状ショルダ部１５との間には弾性的に縮径拡径可能なプレスフィット機構を有する接触部１３ｂが設けられている。接触部１３ｂと凸状ショルダ部１５との間には断面Ｃ字状の連設部１３ｃと、連設部１３ｃと凸状ショルダ部１５とを滑らかな曲面で連続するガイド部１３ｄと、が設けられている。
【００２３】
図２に示すように、複数の導電端子１０，１０ｘは、ハウジング３０に対する取り付け位置の違いにより、全体の長さや折曲部１１の位置が異なっているが、基本的な形状及び機能は図３に示す導電端子１０と共通しているので、その他の導電端子１０についての説明は省略する。なお、図２において、全体の長さが最も短い導電端子１０ｘ及びその次に短い導電端子１０ｘには端子保持部１７が設けられていない。
【００２４】
図２，図４，図５に示すように、ハウジング３０の正面には相手コネクタ（図示せず）を嵌入させるための複数の開口部３２が隔壁３３で区画された状態で設けられ、それぞれの開口部３２の奥にはハウジング３０を横断する状態で遮壁３４が設けられている。ハウジング３０の両側面には、遮壁３４から背面側に突出する外側壁３５，３５が設けられている。対向する外側壁３５，３５の間の領域においては、遮壁３４から背面側に突出する複数の内側壁３６，３６が設けられている。内側壁３６，３６は隔壁３３，３３と同間隔をなすように形成されている。ハウジング３０においては、対向する外側壁３５，３５の間の、外側壁３５，３５の下縁側の開口部３０ａが、導電端子１０，１０ｘの基板側接続部１３が露出可能に開設された回路基板接続用の開口部に相当する。
【００２５】
遮壁３４には、複数の端子保持孔３１が、上下左右に所定間隔を置いて開設されている。遮壁３４の背面側から正面側に向かう方向に沿って、図２，図３に示す導電端子１０，１０ｘのコネクタ側接続部１２が端子保持孔３１に挿入され、係止部１４が端子保持孔３１の内面に係合することによって導電端子１０がハウジング３０に保持される。
【００２６】
ハウジング３０の外側壁３５，３５の背面側の下縁部分には、後述するアライメント部材５０の側面部５１を嵌入させるための切欠き部３７が設けられている。ハウジング３０の外側壁３５，３５の背面側の下縁部分の内側には、アライメント部材５０の側面部５１の上方に設けられた複数のロック部５２，５３が嵌入する凹部４０と、ロック部５２，５２と係合するロック部３８，３９と、が設けられている。
【００２７】
図２，図６〜図１３に示すように、アライメント部材５０は、ハウジング３０の開口部３０ａを閉塞するように装着されるプレート状の部材であり、導電端子１０，１０ｘの基板側接続部１３を挿通するための複数の貫通孔５５が、その厚さ方向（矢線Ｙ方向）に貫設されている。複数の貫通孔５５の配列は、ハウジング３０の端子保持孔３１に装着された複数の導電端子１０，１０ｘの基板側接続部１３の配列と同位相をなすように設定されている。
【００２８】
アライメント部材５０の前縁部には、ハウジング３０の遮壁３４の下縁部に設けられた複数の凸部３４ａが嵌入可能な凹部５４が設けられている。複数の凸部３４ａは内側壁３６，３６と遮壁３４との境界部分の下方部分に、内側壁３６，３６と同間隔に設けられている。アライメント部材５０の後縁部には、ハウジング３０の内側壁３６の後縁部下方に設けられた凹部３６ａに嵌入可能なブリッジ部５６が設けられている。
【００２９】
図６，図７，図１０に示すように、アライメント部材５０の上面は、前縁部から後縁部に向かって高くなる階段形状をなしている。各階段の上面の高さは、ハウジング３０に保持された複数の導電端子１０の端子保持部１７の高さ方向の位置に対応するように設定されている。
【００３０】
図１１に示すように、アライメント部材５０に貫設された複数の貫通孔５５は、アライメント部材５０の上面に開口する擂鉢状のガイド部５５ａと、ガイド部５５ａの下縁部からアライメント部材５０の下面に向かって貫通した貫通部５５ｂと、貫通部５５ｂ内のアライメント部材５０背面側に向かって凹むように形成された凹状保持部５５ｃと、を備えている。貫通部５５ｂの内周面と凹状保持部５５ｃとの間にはガイド面５５ｄを有する垂下部５５ｇが設けられている。
【００３１】
図８，図９，図１２に示すように、アライメント部材５０の貫通孔５５は、貫通部５５ｂの内周面から半径方向に拡がる一対のショルダ部挿通溝５５ｅが１８０度対向状態に設けられている。また、貫通部５５ｂから凹状保持部５５ｃに向かって広がった移動経路５５ｆが設けられている。
【００３２】
次に、図１４〜図１８に基づいて、図１に示す電気コネクタ１００の組み立て工程などについて説明する。
【００３３】
図１４（ａ）に示すように、ハウジング３０の遮壁３４に開設された複数の端子保持孔３１に対し、遮壁３４の背面側から正面側に向かって複数の導電端子１０，１０ｘのコネクタ側接続部１２をそれぞれ挿入すると、導電端子１０，１０ｘの係止部１４が端子保持孔３１内に圧入された状態で保持される。
【００３４】
次に、図１４（ｂ）に示すように、ハウジング３０の上面側に治具６０を装着する。治具６０の下面には、段違いに配列された階段状の当接面６１が設けられている。ハウジング３０の下面側から、導電端子１０，１０ｘの基板側接続部１３に向かって、アライメント部材５０を装着すると、治具６０の当接面６１と、導電端子１０の端子保持部１７とが当接することにより、確実なアライメント部材５０の装着が可能となる。
【００３５】
次に、図１４（ｃ）に示すように、アライメント部材５０の貫通孔５５を貫通して、その下面側から突出する複数の導電端子１０，１０ｘの基板側接続部１３に向かって治具７０を装着する。治具７０には、複数の導電端子１０，１０ｘの基板側接続部１３の先端部１３ａがそれぞれ挿入可能な複数の保持凹部７１が開設されている。従って、図１４（ｃ）及び図１５（ａ）に示すように、複数の導電端子１０，１０ｘの先端部１３ａを保持凹部７１に挿入した状態で治具７０を装着すると、導電端子１０，１０ｘの基板側接続部１３側は外力で動かないように保持される。
【００３６】
この後、図１４（ｄ）及び図１５（ｂ）に示すように、治具６０，７０を保持した状態で、アライメント部材５０の背面側から正面側に向かって矢線Ｚ１方向の外力を加えると、アライメント部材５０がハウジング３０の遮壁３４に向かって横スライドする。これにより、アライメント部材５０の貫通孔５５の貫通部５５ｂ内に位置していた凸状ショルダ部１５が、後述する図１６に示すような過程を経て、凹状保持部５５ｃ内に嵌り込む。また、アライメント部材５０を横スライドさせるときに、治具６０の当接面６１が、導電端子１０の端子保持部１７をガイドすることで、凸状ショルダ部１５の高さを正規位置に合わせることができる。
【００３７】
具体的には、図１６（ａ）に示す状態にあるアライメント部材５０に矢線Ｚ１方向の外力を加えると、図１６（ｂ）に示すように、導電端子１０の凸状ショルダ部１５の上面１５ａの後縁に形成された斜面１５ｂが、垂下部５５ｇのガイド面５５ｄに当接する。この後、さらに矢線Ｚ１方向の外力が加わると、斜面１５ｂ及びガイド面５５ｄは同じ方向に傾斜しているので、ガイド面５５ｄは斜面１５ｂに沿って上面１５ａに乗り上がるように滑動していき、これに伴って、凸状ショルダ部１５は下方へ押し下げられる。このとき、導電端子１０の本体部１０ａ（図３参照）の水平部分（幅広部１６と折曲部１１との間の部分）が下方へ弾性変位することで凸状ショルダ部１５が下方へ押し下げられる。
【００３８】
この後、ガイド面５５ｄの後縁部が凸状ショルダ部１５の上面１５ａの前縁部を通過すると、凸状ショルダ部１５に対する下方押圧力が解除されるので、図１６（ｃ）及び図１７に示すように、凸状ショルダ部１５は元の位置に向かって上昇し、凹状保持部５５ｃ内に嵌り込み、ハウジング３０に対するアライメント部材５０の装着が完了する。
【００３９】
一方、ハウジング３０に対するアライメント部材５０の装着が行われているとき、アライメント部材５０の側面部５１と、ハウジング３０の外側壁３５との間においては、図１８に示すような過程を経て、ハウジング３０に対してアライメント部材５０がロックされている。
【００４０】
具体的には、ハウジング３０に対してアライメント部材５０が、図１４（ｃ）に示す状態にあるとき、アライメント部材５０の側面部５１と、ハウジング３０の外側壁３５とは図１８（ａ）に示す状態にある。即ち、図１８（ａ）に示すように、アライメント部材５０の両側に設けられた半円柱形状のロック部５２は、ハウジング３０の外側壁３５の凹部４０に設けられたロック部３９下面の凹溝３９ａに嵌入している。
【００４１】
次に、アライメント部材５０に矢線Ｚ１方向の外力が加えられると、図１８（ｂ）に示すように、二つのロック部５２はそれぞれ二つのロック部３９の正面側に嵌り込むとともに、二つのロック部５３のうち前方のロック部５３はロック部３８の上面に当接し、後方のロック部５３はロック部３９の上面に当接した状態となる。図１８に示すような過程を経ることにより、アライメント部材５０の側面部５１と、ハウジング３０の外側壁３５とは、容易に分離しないようにロックされる。
【００４２】
次に、図１９〜図２１に基づいて、電気コネクタ１００に回路基板２００を組み付ける工程について説明する。
【００４３】
図１９に示すように、完成した電気コネクタ１００は、アライメント部材５０の下面から、複数の導電端子１０，１０ｘの基板側接続部１３が突出した状態となっている。電気コネクタ１００に回路基板２００を組み付ける場合、図２０及び図２１（ａ）に示すように、筐体３００の内面３０１に、電気コネクタ１００のハウジング３０の上面３０ｂを当接させた状態にセットする。
【００４４】
次に、回路基板２００及び基板圧入治具８０を、露出状態にあるアライメント部材５０の下面側に配置する。回路基板２００には、複数の導電端子１０，１０ｘの基板側接続部１３と同じ配列で複数のスルーホール２０１が開設され、基板圧入治具８０にも複数のスルーホール２０１と同配列で穴部８１が開設されている。
【００４５】
この後、基板圧入治具８０を介して回路基板２００を電気コネクタ１００に向かって押圧すると、複数の基板側接続部１３がそれぞれ回路基板２００のスルーホール２０１内に挿着される。基板側接続部１３のスルーホール２０１内への挿着が終わった後、基板圧入治具８０を回路基板２００から離脱させると、図２１（ｂ）に示すように、基板側接続部１３の接触部１３ｂがスルーホール２０１内に保持された状態となり、電気コネクタ１００に対する回路基板２００の組み付けが完了する。
【００４６】
電気コネクタ１００は、導電端子挿通用の貫通孔５５から基板側接続部１３を突出させた状態でハウジング３０に係止されるアライメント部材５０を備え、導電端子１０，１０ｘの基板側接続部１３が折曲部１１側へ変位するのを阻止する係合手段である凹凸係合機構を、導電端子１０の凸状ショルダ部１５と貫通孔５５との間に設けている。
【００４７】
即ち、凹凸係合機構として、導電端子１０，１０ｘに設けられた凸状ショルダ部１５と、凸状ショルダ部１５を嵌入させるためアライメント部材５０の貫通孔５５内に設けられた凹状保持部５５ｃとを設けている。
【００４８】
従って、図１４〜図１７に示すように、ハウジング３０の開口部３０ａに一次係止されたアライメント部材５０を導電端子１０，１０ｘの基板側接続部１３と交差する方向（ハウジング３０の遮壁３４に接近する方向）へスライドさせると、導電端子１０，１０ｘの凸状ショルダ部１５が、貫通孔５５の凹状保持部５５ｃに係合する。
【００４９】
これにより、導電端子１０，１０ｘの基板側接続部１３が折曲部１１側へ変位するのを阻止することができるので、図２１に示すように、電気コネクタ１００に回路基板２００を組み付けるときの圧入抵抗に起因して、導電端子１０，１０ｘの基板側接続部１３が折曲部１１側へ逃げるのを防止することができる。
【００５０】
また、図１２，図１３，図１６に示すように、アライメント部材５０を基板側接続部１３と交差する方向へスライドさせたとき、導電端子１０，１０ｘの凸状ショルダ部１５を凹状保持部５５ｃに向かって誘導するガイド面５５ｄを貫通孔５５の内周面と凹状保持部５５ｃとの間の垂下部５５ｇの下面に設けている。このため、アライメント部材５０のスライド操作により、導電端子１０，１０ｘの凸状ショルダ部１５は円滑に凹状保持部５５ｃに嵌入される。
【００５１】
さらに、導電端子１０，１０ｘの基板側接続部１３には、プレスフィット機構を有する複数の接触部１３ｂが設けられているため、回路基板２００のスルーホール２０１内への挿着も容易であり、挿着した後の接触信頼性も優れている。
【００５２】
一方、アライメント部材５０の側面部５１と、ハウジング３０の外側壁３５との間に、図１８に示すようなロック機構を設けているため、ハウジング３０の開口部３０ａに装着されたアライメント部材５０の不所望な離脱を防止することができる。
【００５３】
なお、図１〜図２１に基づいて説明した電気コネクタ１００などは本発明の一例を示すものであり、本発明の電気コネクタは、前述した電気コネクタ１００に限定されない。
【産業上の利用可能性】
【００５４】
本発明の電気コネクタは、電子・電気機器産業あるいは自動車産業などの分野において広く利用することができる。
【符号の説明】
【００５５】
１０，１０ｘ  導電端子
１０ａ  本体部
１１  折曲部
１２  コネクタ側接続部
１３  基板側接続部
１３ａ  先端部
１３ｂ  接触部（プレスフィット機構）
１３ｃ  連設部
１３ｄ  ガイド部
１４  係止部
１５  凸状ショルダ部（係合手段、凹凸係合機構）
１５ａ  上面
１５ｂ  斜面
１６  幅広部
１７  端子保持部
３０  ハウジング
３０ａ  開口部
３０ｂ  上面
３１  端子保持孔
３２  開口部
３３  隔壁
３４  遮壁
３４ａ  凸部
３５  外側壁
３６  内側壁
３６ａ  凹部
３７  切欠き部
３８，３９  ロック部（ロック機構）
３９ａ  凹溝
４０  凹部
５０  アライメント部材
５１  側面部
５２，５３  ロック部（ロック機構）
５４  凹部
５５  貫通孔
５５ａ  ガイド部
５５ｂ  貫通部
５５ｃ  凹状保持部（係合手段、凹凸係合機構）
５５ｄ  ガイド面
５５ｅ  凸状ショルダ部挿通溝
５５ｆ  移動経路
５５ｇ  垂下部
５６  ブリッジ部
６０，７０，８０  治具
６１  当接面
７１  保持凹部
８１  穴部
１００  電気コネクタ
２００  回路基板
２０１  スルーホール
３００  筐体
３０１  内面
【要約】
【課題】回路基板へ組み付ける場合に導電端子に当該回路基板からの外力（反力）が作用しても導電端子の基板側接続部が折曲部側へ逃げない電気コネクタを提供する。
【解決手段】電気コネクタ１００は、Ｌ字状の折曲部１１を挟んでコネクタ側接続部１２及び基板側接続部１３を有する導電端子１０と、導電端子１０をコネクタ側接続部１２と折曲部１１との間にて保持する端子保持孔と、基板側接続部１３が露出可能に開設された回路基板接続用の開口部３０ａと、を有するハウジング３０と、導電端子１０の基板側接続部１３に向かって開口部３０ａを閉塞するように装着され導電端子挿通用の貫通孔５５から基板側接続部１３を突出させた状態でハウジング３０に係止されるアライメント部材５０と、を備え、導電端子１０の基板側接続部１３が折曲部１１側へ変位するのを阻止する係合手段を導電端子１０と貫通孔５５との間に設けられている。
【選択図】図２【図１】
0005958583.tif 000002
【図２】
0005958583.tif 000003
【図３】
0005958583.tif 000004
【図４】
0005958583.tif 000005
【図５】
0005958583.tif 000006
【図６】
0005958583.tif 000007
【図７】
0005958583.tif 000008
【図８】
0005958583.tif 000009
【図９】
0005958583.tif 000010
【図１０】
0005958583.tif 000011
【図１１】
0005958583.tif 000012
【図１２】
0005958583.tif 000013
【図１３】
0005958583.tif 000014
【図１４】
0005958583.tif 000015
【図１５】
0005958583.tif 000016
【図１６】
0005958583.tif 000017
【図１７】
0005958583.tif 000018
【図１８】
0005958583.tif 000019
【図１９】
0005958583.tif 000020
【図２０】
0005958583.tif 000021
【図２１】
0005958583.tif 000022